(57)【要約】【課題】ゴルフプレイヤーのゴルフボールへの視線上に照準体を配置し、この視線と照準体との位置関係を維持しつつスイングをおこなうことで、スイング中の頭のぶれを矯正するゴルフ練習具について、スイングの軌道が外れてゴルフクラブとゴルフ練習具が衝突した際の損傷を防止する。【解決手段】ゴルフ練習具１０を、前記視線上にゴルフボールが隠れるように配置される球形の照準体１１と、照準体１１を吊り下げるフレキシブルなワイヤ１２と、ワイヤ１２が挿通されてそのワイヤ１２を長さ方向にスライド可能に支持する筒形の吊り下げ高さ調整アーム１３と、吊り下げ高さ調整アーム１３を地面とほぼ平行にかつ照準体１１よりも上方に支持する支持体１４と、から構成する。ゴルフクラブが照準体１１やワイヤ１２に衝突した場合でも、ワイヤ１２はフレキシブルであるためその衝撃が緩和され、クラブやゴルフ練習具１０が損傷するのを防止することができる。【選択図】図３
2013123514.tif 000002
【特許請求の範囲】
【請求項１】
ゴルフプレイヤーのゴルフボールへの視線上に照準体を配置し、この視線と照準体との位置関係を維持しつつスイングをおこなうことで、スイング中の頭のぶれを矯正可能なゴルフ練習具であって、
前記視線上にゴルフボールが隠れるように配置される略球形の照準体１１と、
この照準体１１を吊り下げるフレキシブルなワイヤ１２と、
このワイヤ１２を長さ方向にスライド可能に支持する吊り下げ高さ調整アーム１３と、
この吊り下げ高さ調整アーム１３を少なくともその先端が前記照準体１１よりも上方に位置するように地上に支持する支持体１４と、を備えるゴルフ練習具。
【請求項２】
前記吊り下げ高さ調整アーム１３は筒形であり、
その内部に前記ワイヤ１２が長さ方向にスライド可能に挿通されており、
前記支持体１４により地面に対してほぼ水平に支持されている、請求項１に記載のゴルフ練習具。
【請求項３】
前記球形の照準体１１は不透明である、請求項１または２に記載のゴルフ練習具。
【発明の詳細な説明】
【技術分野】
【０００１】
本発明は、ゴルフ練習具に関する。
【背景技術】
【０００２】
ゴルフスイングのフォームを矯正するための練習具として、特許文献１のように、ゴルフプレイヤーとゴルフボールの間に、プレイヤー側からゴルフボールを見通すことが可能なリング形の照準体を配置したものが知られている。
この照準体は、竿の先端に一体的に設けられており、この竿は照準体が地面とほぼ平行になるように基台へと支持されている。
【０００３】
ゴルフプレイヤーは、この照準体のリングを通じてゴルフボールを視認できる状態、すなわちプレイヤーのゴルフボールへの視線上に照準体が位置する状態を維持しながらスイングをおこなう。これにより、スイング中の頭のぶれを防止できるため、自ずとスイングを矯正することが可能である。
【先行技術文献】
【特許文献】
【０００４】
【特許文献１】実開昭５２−４４８７６号公報
【発明の概要】
【発明が解決しようとする課題】
【０００５】
しかし、上述のように照準体が剛性の高い竿の先端に一体的に設けられていると、スイングの軌道が正常な軌道から外れて、ゴルフクラブが照準体や竿に衝突した場合には、ゴルフクラブやゴルフ練習具が損傷してしまうおそれがある。
【０００６】
またリング形の照準体は、プレイヤーのゴルフボールへの視線上に位置していても、その軸心が視線と一致していない場合、すなわち照準体の軸心が視線に対して傾いている場合には、ゴルフボールが照準体を通じて視認しにくくなり、その結果、頭のぶれが確認しにくいことになる。
そのため、リング形の照準体の軸心が視線と一致するように、すなわち照準体が視線と正対するように、照準体を竿の軸周りに一体に回転させて向きまで含めて正確に位置あわせする必要があり、手間がかかる（特許文献１の第５図等参照）。
【０００７】
そこで本発明の解決すべき課題は、ゴルフプレイヤーのゴルフボールへの視線上に、照準体を配置し、この視線と照準体との位置関係を維持しながらスイングをおこなうことで、スイング中の頭のぶれを矯正するゴルフ練習具について、スイングの軌道が外れた際のゴルフクラブとゴルフ練習具の衝突に伴う損傷を防止することである。
また照準体を、プレイヤーのゴルフボールへの視線上において、容易に位置あわせできるようにすることである。
【課題を解決するための手段】
【０００８】
上記課題を解決するため、本発明のゴルフ練習具を、ゴルフプレイヤーのゴルフボールへの視線上にゴルフボールが隠れるように配置される略球形の照準体と、この照準体を吊り下げるフレキシブルなワイヤと、ワイヤを長さ方向にスライド可能に支持する吊り下げ高さ調整アームと、この吊り下げ高さ調整アームをすくなくともその先端が前記照準体よりも上方に位置するように地上に支持する支持体と、を備える構成を採用したのである。
【０００９】
なお、ここでいうゴルフボールが隠れるとは、ゴルフプレイヤーから見た場合に、ゴルフボールが球形の照準体の輪郭内にほぼ収まっていることを意味し、視認不能であることまでは意味しない。また照準体が略球形であるとは、完全な球形のみならず、きわめて多数の面から構成されるほぼ球形の多面体も含まれる趣旨である。
【００１０】
前記吊り下げ高さ調整アームは筒形であり、その内部に前記ワイヤが長さ方向にスライド可能に挿通されており、前記支持体により地面に対してほぼ水平に支持されているのが好ましい。前記球形の照準体は、不透明であるのが好ましい。
【発明の効果】
【００１１】
本発明のゴルフ練習具を以上のように構成したため、スイングの軌道がずれてゴルフクラブが照準体やワイヤに衝突した場合でも、ワイヤはフレキシブルであることからその衝撃が緩和され、クラブやゴルフ練習具が損傷するのを防止することができる。
【００１２】
また、照準体が球形であり向きは存在しないため、リング形の場合のように向きまで考慮してプレイヤーの視線上に位置あわせする必要がない。球形の照準体にゴルフボールが隠れるように位置あわせするだけでセットは完了するため、作業が容易である。
【００１３】
照準体の吊り下げ高さは、ワイヤを吊り下げ高さ調整アームに対して長さ方向にスライドさせることで簡単に調整可能である。
照準体が不透明であると、プレイヤーはゴルフボールが見えない状態でスイングをおこなうことになるため、ゴルフボールを過度に意識することがなくなり、スイングの矯正に集中することができる。
【図面の簡単な説明】
【００１４】
【図１】ゴルフ練習具の斜視図
【図２】プレイヤーから見た照準体とゴルフボールの重なり合った状態を示す模式図
【図３】ゴルフ練習具の使用状態を示す正面図
【発明を実施するための形態】
【００１５】
以下、図面を参照しつつ本発明の実施形態について説明する。
図１に示す実施形態のゴルフ練習具１０は、照準体１１と、ワイヤ１２と、吊り下げ高さ調整アーム１３と、支持体１４と、からなる。
【００１６】
照準体１１は、球形をなしている。好ましくは、中空でありかつ合成樹脂などから形成されることで軽量化が図られている。このような照準体１１としては、市販のいわゆるピンポン球を用いることができる。
【００１７】
ワイヤ１２はフレキシブルであり、その先端が照準体１１に固定されることで、照準体１１を上から吊り下げている。ワイヤ１２の後端には、タブ１２ａが設けられている。
このようなワイヤ１２としては、市販の細手の金属製ワイヤを用いることができる。
【００１８】
吊り下げ高さ調整アーム１３は、外筒１３ａと内筒１３ｂとが入れ子式に組み合わされた二重筒形をなしており、照準体１１よりも上方において、横向きに、すなわちその軸心が地面とほぼ平行になるように支持体１４に支持されている。内筒１３ｂは外筒１３ａに対して長さ方向にスライド可能となっているため、吊り下げ高さ調整アーム１３は、長さ調節が可能となっている。
このような吊り下げ高さ調整アーム１３としては、市販の長さ調節可能なパイプ体、すなわち突っ張り棒や物干し竿のようなもの、を用いることができる。
筒形の吊り下げ高さ調整アーム１３の内部には、ワイヤ１２が長さ方向にスライド可能に挿通されている。そのため、ワイヤ１２は手でタブ１２ａを摘むなどして、手前側および奥側に向けて引き出せるようになっており、照準体１１の吊り下げ高さ調整アーム１３の先端から吊り下がる高さ（吊り下がる距離）を調節できるようになっている。
またワイヤ１２から手を離すと、ワイヤ１２はその自重やワイヤ１２と吊り下げ高さ調整アーム１３の内面との摩擦力によりスライドが停止する。そのため、ワイヤ１２は所望のスライド位置で位置決めできるようになっている。
吊り下げ高さ調整アーム１３の内面は、このような摩擦力を増大させるために、粗面加工をしたり、発泡樹脂や不織布を貼り付けたりしてもよい。
【００１９】
図示の三脚状の支持体１４は、ほぼ直立するセンターポール１４ａと、センターポール１４ａの上端に取り付けられる雲台１４ｂと、センターポール１４ａを放射状に取り巻く脚部１４ｃとからなる。
ブロック型の雲台１４ｂには、吊り下げ高さ調整アーム１３がほぼ水平方向を向くように取り付けられている。吊り下げ高さ調整アーム１３は、上述のように長さ調節可能であるため、照準体１１が吊り下がる吊り下げ高さ調整アーム１３の先端部とゴルフプレイヤーとの間の距離を調節可能となっている。
またセンターポール１４ａは、公知の機構により、脚部１４ｃに対して上下方向にスライド可能となっている。このため、センターポール１４ａ上端の雲台１４ｂに取り付けられた吊り下げ高さ調整アーム１３は、高さ調節可能となっている。
脚部１４ｃは、その上端がセンターポール１４ａに近接し、その下端がセンターポール１４ａから離反するように傾斜しており、その下端が接地している。
脚部１４ｃは、吊り下げ高さ調整アーム１３と同様に入れ子式の二重筒機構となっており、内筒を外筒に対してスライドさせることで全体の長さを調節可能となっている。
このような支持体１４としては、市販のカメラ用三脚を用いることができる。
【００２０】
実施形態のゴルフ練習具１０の構成は以上のようであり、いま図２（ａ）および図３に示すように、これを照準体１１がゴルフプレイヤーＰのゴルフボールＢへの視線上に位置するように、すなわち照準体１１がプレイヤーＰから見た場合に日食や月食のようにゴルフボールＢを覆い隠すように、位置あわせをおこなう。
ここで照準体１１は、ゴルフボールＢを覆い隠したことが明確になるように、不透明であることが好ましいが、半透明や透明でも構わない。
併せて、吊り下げ高さ調整アーム１３や支持体１４は、スイングが正常な軌道から相当程度外れた場合でも、ゴルフクラブＣが衝突しないように、スイングの正常な軌道および想定される範囲内での外れた軌道よりも、外側に配置しておくものとする。
【００２１】
照準体１１の位置あわせは、ワイヤ１２を吊り下げ高さ調整アーム１３に対して、また吊り下げ高さ調整アーム１３の内筒１３ｂを外筒１３ａに対して、雲台１４ｂ（センターポール１４ａ）を脚部１４ｃに対して、それぞれ位置調整することによりおこなわれる。この作業は、図２（ａ）のように、単にゴルフボールＢを照準体１１で覆い隠すように位置をあわせるだけであるため、非常に容易である。
【００２２】
ここからプレイヤーＰがスイングを開始すると、頭がぶれない場合には、図２（ａ）のように、ゴルフボールＢは照準体１１に隠されたまま（照準体１１が不透明である場合には、視認できないまま）で、ゴルフクラブＣがそのゴルフボールＢをクリーンヒットすることになる。
いっぽう、頭がぶれた場合には、図２（ｂ）および（ｃ）のように、ゴルフボールＢは照準体１１との相対位置がずれて、プレイヤーＰから一部が視認できる状態になる。この状態でゴルフボールＢを打つとクリーンヒットできず、シャンク等の原因となる。
【００２３】
そのため、図２（ａ）のように、ゴルフボールＢが照準体１１に隠れた状態を維持することに極力努めながら、スイングを繰り返し練習すると、正しいスイングに矯正することができる。
ここで上述のような照準体１１の位置あわせの際に、照準体１１をプレイヤーＰの顔に近づけて配置すると、ゴルフボールＢと照準体１１の位置のずれがよくわかるようになる（ずれ検出が敏感になる）。いっぽう、照準体１１をプレイヤーＰの顔から遠ざけて配置すると、ゴルフボールＢと照準体１１の位置のずれがわかりにくくなる（ずれ検出が鈍感になる）。
したがって、初心者は照準体１１を遠くに位置させて小さなずれは確認せずにスイングを練習し、上級者になるにつれて照準体１１を近づけて小さなずれまでも確認し、スイングの精度を上げてゆくことで、無理なく上達を図ることができる。
照準体１１が不透明である場合には、ゴルフボールＢが完全に隠れた状態でスイングをおこなうため、過度にゴルフボールＢを意識することがなくなり、正しいスイングをマスターすることに集中することができる。
なお図２（ａ）においては、説明の便宜上、ゴルフボールＢの外縁が照準体１１からはみ出るように描いているが、実際はゴルフボールＢの外縁と照準体１１の外縁とが、プレイヤーから見た場合にほぼ一致しているのが好ましい。
【００２４】
また練習中にスイングが正常な軌道からずれて、ゴルフクラブＣが照準体１１やワイヤ１２に衝突した場合でも、ワイヤ１２がしなることでその衝撃が緩和吸収される。そのため、ゴルフクラブＣやゴルフ練習具１０が破損等することが防止される。
【００２５】
吊り下げ高さ調整アーム１３の構成は、以上の実施形態の筒形のものに限定されず、たとえばチャンネル型の鋼材を採用し、そのチャンネル内（溝内）にワイヤ１２を挿通させることで支持することが可能である。
また、アーム１３を竿状のものとして、その棒の軸方向に複数のループを並列させて取り付け、このループにワイヤ１２を挿通させることで支持することも可能である。
さらに、吊り下げ高さ調整アーム１３は、地面に対して一定程度傾斜していてもよく、その先端を傾斜の上端としてここからワイヤ１２を介して照準体１１が吊り下がっていれば足りる。
吊り下げ高さ調整アーム１３の全部が照準体１１より上方に位置する必要はなく、要は、そのワイヤ１２が垂れ下がる先端が照準体１１より上方に位置していれば足りる。
【００２６】
支持体１４の構成も、以上の実施形態の三脚状のものに限定されず、たとえば基台状のものやスタンド状のものを採用することもでき、要は、吊り下げ高さ調整アーム１３を地上に支持できれば足りる。支持体１４と吊り下げ高さ調整アーム１３を、一体に成型してもよい。
吊り下げ高さ調整アーム１３と支持体１４との接続の態様も特に限定されず、係合、溶接、かしめ、ボルト止め、接着等が例示できる。
【００２７】
その他、今回開示された実施形態はすべての点で例示であって制限的なものではないと考慮されるべきである。本発明の範囲は特許請求の範囲によって示され、特許請求の範囲の範囲内でのすべての修正と変形を含むものとする。
【符号の説明】
【００２８】
１０  ゴルフ練習具
１１  照準体
１２  ワイヤ
１２ａ  タブ
１３  吊り下げ高さ調整アーム
１３ａ  外筒
１３ｂ  内筒
１４  支持体
１４ａ  センターポール
１４ｂ  雲台
１４ｃ  脚部
Ｂ  ゴルフボール
Ｐ  ゴルフプレイヤー
Ｃ  ゴルフクラブ
【図１】
2013123514.tif 000003
【図２】
2013123514.tif 000004
【図３】
2013123514.tif 000005